(57)【要約】【課題】砕氷撹拌ドラムにおいて、ドラム内周面に対する砕氷の付着氷結を防止する。撹拌砕氷を円滑に正確に取出すことができる。【解決手段】回転により収容砕氷を撹拌しながら送出しできる撹拌ドラム１の内周面に、多数の突出面２を形成したことを特徴とする砕氷撹拌ドラムの構成。【選択図】　　　　図１
2004053240.tif 000002
【特許請求の範囲】
【請求項１】
回転により収容砕氷を撹拌しながら送出しできる撹拌ドラム１の内周面に、多数の突出面２を形成したことを特徴とする砕氷撹拌ドラム。
【請求項２】
撹拌ドラム１の内周部に設けられて収容砕氷を撹拌する撹拌板３に多数の突出面２を形成したことを特徴とする砕氷撹拌ドラム。
【請求項３】
回転により収容砕氷を撹拌しながら送出しできる撹拌ドラム１の回転周部に、砕氷を供給する供給口４を形成し、この供給口４には回転周部の方向へ回動して開閉できる開閉蓋５を設け、この開閉蓋５の一部を連結具６で機枠７に連結可能にして撹拌ドラム１の回動によって開閉蓋５を開閉回動することを特徴とする砕氷撹拌ドラム。
【０００１】
【発明の詳細な説明】
【発明の属する技術分野】
この発明は、生鮮魚等を収容のトロ箱や、容器等に供給するための小さく砕かれた砕氷を収容して撹拌する砕氷撹拌ドラムに関する。
【０００２】
【従来の技術】
魚市場等での氷詰め作業では、氷砕機によって小さく破砕した砕氷を、トラックや、キャリー等に収容させて運搬しながら、これらトラック等の砕氷を人手によってスコップで掬くいながらトロ箱や、袋等へ必要量分配供給している。
【０００３】
【発明が解決しようとする課題】
氷は時間の経過に伴って氷結し合って大きく団塊状態になって分離し難い。又、砕氷を撹拌ドラムに収容させて回転することにより撹拌させると、回転中の撹拌ドラムの内周面に砕氷が付着氷結して、撹拌が行われないことがある。このようになると、砕氷の各トロ箱等への正確な分配供給や、乃至計量小分け等が行われ難い。
【０００４】
【課題を解決するための手段】
請求項１に記載の発明は、回転により収容砕氷を撹拌しながら送出しできる撹拌ドラム１の内周面に、多数の突出面２を形成したことを特徴とする砕氷撹拌ドラムの構成とする。
【０００５】
撹拌ドラム１内に砕氷を収容して、この撹拌ドラム１を回転することにより、砕氷は相互に氷結しない状態に維持できる。この砕氷を取出すときは、この撹拌ドラム１の排出口を開くことによって撹拌中の砕氷の一部を排出させる。撹拌中の砕氷は、回転中の撹拌ドラム１の内周面に沿うようにして付回りしながら、一定位置に回転上昇されて、この上昇位置から撹拌ドラム１内底部へ落下されながら、砕氷相互が氷結しない状態、乃至分離し易い状態に維持される。又、撹拌ドラム１の内周面には突出面２が多数形成されているため、付着氷結しようとしても、主としてこの突出面２の頂面に対する部分的接触圧は比較的強くても、この突出面２の周りの低いドラム１内周面には接触しないか、又は接触してもこの接触圧は低いものであるから、狭い部分的接触の状態となるためこの突出面２からの砕氷の分離乃至離脱は行われ易く、砕氷の撹拌ドラム１内周面に対する付着氷結を防止できる。
【０００６】
請求項２に記載の発明は、撹拌ドラム１の内周部に設けられて砕氷を撹拌する撹拌板３に多数の突出面２を形成したことを特徴とする砕氷撹拌ドラムの構成とする。
【０００７】
撹拌ドラム１内には、撹拌作用や送出作用等を促進するために、螺旋形態や羽根板形態等の撹拌板３を配置するが、これらの撹拌板３の砕氷作用面に突出面２が形成されることによって、前記撹拌ドラム１における作用と同様にしてこの撹拌板３に対する撹拌中の砕氷の付着氷結を防止し、砕氷の氷結持回り回転を少くし、撹拌作用を円滑に行わせる。
【０００８】
請求項３に記載の発明は、回転により収容砕氷を撹拌しながら送出しできる撹拌ドラム１の回転周部に、砕氷を供給する供給口４を形成し、この供給口４には回転周部の方向へ回動して開閉できる開閉蓋５を設け、この開閉蓋５の一部を連結具６で機枠７に連結可能にして撹拌ドラム１の回動によって開閉蓋５を開閉回動することを特徴とする砕氷撹拌ドラムの構成とする。
【０００９】
砕氷の撹拌作用は、砕氷を撹拌ドラム１内へ収容させて、この撹拌ドラム１を回転することによって行われるが、砕氷をこの撹拌ドラム１内へ供給するためにこの撹拌ドラム１の回転周面の供給口４を開くときは、連結具６を機枠７と開閉蓋５との間にわたって連結し、開閉蓋５の閉鎖固定を解除して開閉回動自在の状態とする。この状態で撹拌ドラム１を開閉蓋５開回動方向へ回動すると、この開閉蓋５が連結具６を引っ張ることとになり、開閉蓋５が撹拌ドラム１に対して開回動される。この開閉蓋５が開かれた状態で撹拌ドラム１の回動を停止して、この供給口４からコンベア等によって砕氷を必要量供給することができる。又、逆に開閉蓋５を閉鎖するときは、同様にして撹拌ドラム１を逆回動することによって行われる。
【００１０】
【発明の効果】
請求項１に記載の発明は、撹拌ドラム１の内周面に形成される突出面２によって砕氷との間の摩擦作用を大きくして、砕氷の回転方向への付回り上昇は高く維持されるが、この撹拌ドラム１の内周面に対する付着氷結作用は行われ難く、従って、この付回り上昇された砕氷は撹拌ドラム１の底部に落下させて分離分散され、撹拌作用を円滑に行わせることができる。
【００１１】
請求項２に記載の発明は、撹拌ドラム１内周に設けられる撹拌板３の突出面２の形成によって、この撹拌板３に対する砕氷の付着氷結を少なくして、撹拌付回り中の砕氷をこの撹拌板３から脱落し易くして、撹拌作用を円滑に効果的に行わせることができる。
【００１２】
請求項３に記載の発明は、供給口４の開閉蓋５の開閉作用を、連結具６を介して、撹拌ドラム１の回動力によって簡単、容易に行わせることができる。開閉蓋５の開閉操作性はもとより、省力化、及び安全性を高めることができる。
【００１３】
【発明の実施の形態】
この発明の実施例を図面に基づいて説明する。撹拌ドラム１及びこの内側に設けられる撹拌板３、開閉蓋５等はステンレス製として、防錆形態の構成としている。撹拌ドラム１は円筒形乃至多角形の形態として、回転周面の一部に供給口４を形成し、一端面は側壁板８を有し、他端面は開放して中央部に円錐形状の規制板９を位置させて、この外周部に排出口１０が形成される。この撹拌ドラム１は中心のドラム軸芯部を水平状にして回転するように機枠７に支架される。撹拌ドラム１の両端部外周面にリング１１が一体に設けられ、機枠７に回転自在に設けられるガイドローラ１２に支持されて回転案内される。３４は押えローラで、撹拌ドラム１の浮き上がりを阻止するようにして回転案内する。又、この撹拌ドラム１の一側のリング１１近くにはラックリング１３が設けられ、モータ１４によって回転されるギヤ１５が噛合されて、このモータ１４の駆動により撹拌ドラム１が正回転、又は逆回転される。
【００１４】
このような撹拌ドラム１、この側壁板８、規制板９、開閉蓋５、及び撹拌板３等は、内周面、乃至砕氷作用面等の砕氷Ａと接する面に多数の突出面２が形成される。この突出面２は、一般にはエンボス加工の成形方法により形成するが、その他の方法により成形することもできる。突出面２は小さな円形突起形態（図５）に形成しているが、細長い突条形態（図６）や、その他渦巻状の突条形態等適宜の突出面２の形状とする。又、これらの突出面２の拡散ドラム１内周面や撹拌板３面等に対する分布密度を適宜に設定して形成する。即ち、この突出面２が大きくて平滑面形態で広すぎると、砕氷Ａがこの突出面２に付着氷結し易くなり、又、この突出面２以外の低く平滑な板面部１６が広くなる形態では、この板面部１６における砕氷Ａの付着氷結が行われ易くなるため、この突出面２の大きさや形態、及び分布密度等を、砕氷Ａの付着氷結性が低くなるように構成する。
【００１５】
撹拌ドラム１の内周面には、撹拌板３として、適宜高さの螺旋板１７や、この螺旋板１７の配置間隔部に沿って配置の比較的短い間隔板１８等が配置されて、撹拌ドラム１の回転によって、砕氷Ａを回転方向側へ上昇させると共に、この回転上昇位置から底部へ落下させて撹拌させながら、排出口１０側へ移送させることができる。
【００１６】
前記規制板９は、排出口１０から排出される砕氷Ａの排出量を規制するものである。この規制板９の外周部と、撹拌ドラム１の終端内周部との間に適宜間隔の排出口１０を形成する。この排出口１０の外側には、下端部に開閉可能のシャッター１９を有したカバーフレーム２０が機枠７部に固定して設けられ、このシャッター１９を開くことによって、適量の砕氷Ａをこの排出口１０部から撹拌ドラム１外へ排出することができる。
【００１７】
この規制板９は、撹拌ドラム１と一体的に回転する構成としたが（図１）、該機枠７部側に一体のカバーフレーム２０部と共に一体的構成として（図７）、撹拌ドラム１の終端部を閉鎖するように嵌合させて、機枠７部に固定する構成とすることもできる。シャッター１９はこのカバーフレーム２０に設けられる。
【００１８】
前記開閉蓋５の開閉は、重量構成となるために撹拌ドラム１の回転力を利用して行わせる形態とする。開閉蓋５は撹拌ドラム１の供給口４の回転方向の前側縁又は後側縁にヒンジ２１を設けて外側へ開回動できるように設ける。この開閉蓋５の開回動端の中央部にはループ状のハンドル２２を有し、このハンドル２２に連結具６のフック２３を係合することができる。又、この供給口４の周縁部との間には開閉蓋５の閉鎖状態を維持されるロックハンドル２４が設けられて、このロックハンドル２４を回わすことによって開閉蓋５を開きうる状態にすることができる。連結具６は所定長さの紐、ロープ、乃至鎖等からなり、基端部２５を機枠７の一部の受杆３５に固定し、先端部にフック２３を有する。この連結具６としては、該紐等に代えて、一定長さのロッド、伸縮自在の伸縮ロッドや、拡縮自在のリンク等を用いることもできる。
【００１９】
前記排出口１０の下方にはコンベア２６が設けられて、排出口１０から取出される砕氷Ａを受けて搬送することができる。又、このコンベア２６に代えて直接砕氷Ａを収容するトロ箱３３や、キャリー等の容器をのぞませることもできる。
【００２０】
撹拌ドラム１に砕氷Ａを供給するときは、この供給口１０が連結具６側上部に位置するように撹拌ドラム１を回動させて、フック２３をハンドル２２に係合させて、連結具６による連結状態Ｄとする（図８）。ロックハンドル２４を解除して開閉蓋５がヒンジ２１の周りに開閉回動自在の状態とする。ここでモータ１４を電動するか、又は撹拌ドラム１を手で矢印Ｂ方向へ一定角度回動する。これによって開閉蓋５は、フック２３で係合されているハンドル２２側が上方へ開回動されて、このハンドル２２側の周りにヒンジ２１側が回動することによって、開閉蓋５の内周面が上側に向けられるように反転Ｅされる（図２、図８）。この開回動された開閉蓋５は受杆３５に受け止められて開口状態Ｆとなる。ここで、撹拌ドラム１の回転を停止させて、砕氷Ａを供給口４から撹拌ドラム１内へ供給する。このような開閉蓋５の開回動時には、この反転回動を受けて衝撃を緩和するためのゴムやバネ等の緩衝材２７部を、ヒンジ２１周りに設けるか、前記連結具６の基端部２５を連結する機枠７の受杆３５部等に設けることにより、開閉蓋５や撹拌ドラム１を衝撃損傷させない構成とすることができる。
【００２１】
前記砕氷Ａの供給が終ると開閉蓋５を閉鎖する。このとき、開閉蓋５の開状態の撹拌ドラム１を逆方向へ回動させて閉じさせるもので、この開かれた開閉蓋５を受ける機枠７の受杆３５乃至緩衝材２７を利用することができる。この開閉蓋５を機枠７の受杆３５に受けさせた状態で撹拌ドラム１を前記矢印Ｂと逆方向へ回動すると、開閉蓋５がヒンジ２１の周りに起立回動されて、供給口４を閉鎖するように矢印Ｅと逆方向へ回動される。このとき前記機枠７とハンドル２２との間に渡って連結される連結具６によって、開閉蓋５の閉鎖回動が規制されて、閉鎖回動が緩衝的に円滑に行われる。
【００２２】
この他、該連結具６の基端部２５を反対側の機枠７部に継ぎ替えるか、又はこの反対側の機枠７部に取付けてある連結具６のフック２３をハンドル１を２２に係合させこともできる。そして撹拌ドラム１を前記矢印Ｂ方向と反対の方向へ回動させる。このようにして開閉蓋５が閉鎖されるとロックハンドル２４を締めて開かないように固定し、モータ１４の駆動で撹拌ドラム１を回転Ｂさせて、撹拌作用を行わせる。
【００２３】
この撹拌作用中、砕氷Ａは内周面に受けられて回転方向側を上昇され、一定以上に上昇されると落下して、分散、撹拌され、しかも撹拌板３の送り作用を受けて排出口１０側寄りに移送される。このため、この排出口１０のシャッター１９を開けることによって撹拌中の砕氷Ａをいつでも適量に取出すことができる。この撹拌中の砕氷Ａは、撹拌ドラム１の内周面や、側壁板８、及び規制板９の内側面はもとより、撹拌板３の前面側の送面に摺接乃至摺動するが、これらの面には突出面２が形成されているため、砕氷Ａの付着氷結が行われ難く、従って円滑で安定した砕氷撹拌を行わせることができ、排出口１０から取出に必要なだけの砕氷Ａを円滑に、正確に取出すことができる。
【００２４】
前記撹拌ドラム１は、車輪２９を有して走行できる車台２８や、トラック等に搭載されて、魚市場等の床面Ｃに並べられたトロ箱３３の列に沿って移動しながら、撹拌ドラム１の排出口１０から排出する砕氷Ａをシュータ３１、モータ３０駆動されるコンベア２６、及びシュータ３２等を経て各トロ箱３３内へ分配供給することができる。
【図面の簡単な説明】
【図１】撹拌ドラム部の側断面図。
【図２】その正断面図。
【図３】その撹拌ドラムを移動台車に搭載した状態の側面図。
【図４】その正面図。
【図５】その一部の拡大平面図と、その断面図。
【図６】その一部別実施例を示す拡大平面図と、その断面図。
【図７】その撹拌ドラム規制板部の別実施例を示す側断面図。
【図８】その開閉蓋部の開閉作用状態を示す正面図。
【符号の説明】
１　撹拌ドラム
２　突出面
３　撹拌板
４　供給口
５　開閉蓋
６　連結具
７　機枠
【図１】
2004053240.tif 000003
【図２】
2004053240.tif 000004
【図３】
2004053240.tif 000005
【図４】
2004053240.tif 000006
【図５】
2004053240.tif 000007
【図６】
2004053240.tif 000008
【図７】
2004053240.tif 000009
【図８】
2004053240.tif 000010